(57)【要約】    【課題】  高ズーム比でしかも全ズーム範囲にわたり高い光学性能が得られる小型のズームレンズを得ること。    【解決手段】  物体側より像側へ順に、正の屈折力の第１レンズ群、負の屈折力の第２レンズ群、正の屈折力の第３レンズ群、正の屈折力の第４レンズ群より構成され、広角端から望遠端へのズーミングに際し、各レンズ群が移動するズームレンズにおいて、第１レンズ群は３枚以下のレンズより構成され、第２レンズ群は４枚以下のレンズより構成され、第３レンズ群が４枚以下のレンズより構成され、第４レンズ群は２枚以下のレンズより構成され、広角端における第３レンズ群の横倍率β３ｗ、望遠端における第３レンズ群の横倍率β３ｔ、第３レンズ群の焦点距離ｆ３、望遠端における全系の焦点距離ｆｔを各々適切に設定する。【選択図】    図１
2015121736.tif 000002
【特許請求の範囲】
【請求項１】
物体側より像側へ順に、正の屈折力の第１レンズ群、負の屈折力の第２レンズ群、正の屈折力の第３レンズ群、正の屈折力の第４レンズ群より構成され、
広角端から望遠端へのズーミングに際し、各レンズ群が移動するズームレンズにおいて、前記第１レンズ群は３枚以下のレンズより構成され、前記第２レンズ群は４枚以下のレンズより構成され、
前記第３レンズ群が４枚以下のレンズより構成され、前記第４レンズ群は２枚以下のレンズより構成され、
広角端における前記第３レンズ群の横倍率をβ３ｗ、望遠端における前記第３レンズ群の横倍率をβ３ｔ、前記第３レンズ群の焦点距離をｆ３、望遠端における全系の焦点距離をｆｔとするとき、
２．６５＜β３ｔ／β３ｗ＜１０．００
０．０５＜ｆ３／ｆｔ＜０．１４
なる条件式を満足することを特徴とするズームレンズ。
【請求項２】
前記第３レンズ群は、負レンズを有し、該負レンズの焦点距離をｆ３ｎとするとき、
０．２０＜｜ｆ３ｎ｜／ｆ３＜０．５５
なる条件式を満足することを特徴とする請求項１に記載のズームレンズ。
【請求項３】
前記第３レンズ群は、負レンズを有し、該負レンズの材料の屈折率をＮ３ｎとするとき、
１．８５０＜Ｎ３ｎ＜２．５００
なる条件式を満足することを特徴とする請求項１又は２に記載のズームレンズ。
【請求項４】
前記第３レンズ群は、２枚以上の正レンズを有し、前記２枚以上の正レンズの焦点距離の平均をｆ３ｐａｖｅとするとき、
０．５０＜ｆ３ｐａｖｅ／ｆ３＜１．５５
なる条件式を満足することを特徴とする請求項１乃至３のいずれか１項に記載のズームレンズ。
【請求項５】
前記第３レンズ群は、２枚以上の正レンズを有し、前記２枚以上の正レンズの材料の屈折率の平均値をＮ３ｐａｖｅとするとき、
１．６９０＜Ｎ３ｐａｖｅ＜２．５００
なる条件式を満足することを特徴とする請求項１乃至４のいずれか１項に記載のズームレンズ。
【請求項６】
前記第１レンズ群の焦点距離をｆ１とするとき、
０．３０＜ｆ１／ｆｔ＜０．５０
なる条件式を満足することを特徴とする請求項１乃至５のいずれか１項に記載のズームレンズ。
【請求項７】
前記第２レンズ群の焦点距離をｆ２、広角端における全系の焦点距離をｆｗとするとき、
０．５０＜｜ｆ２｜／ｆｗ＜１．３５
なる条件式を満足することを特徴とする請求項１乃至６のいずれか１項に記載のズームレンズ。
【請求項８】
前記４レンズ群の焦点距離をｆ４、広角端における全系の焦点距離をｆｗとするとき、
３．０＜ｆ４／ｆｗ＜５．０
なる条件式を満足することを特徴とする請求項１乃至７のいずれか１項に記載のズームレンズ。
【請求項９】
広角端から望遠端へのズーミングに際し、前記第１レンズ群は像側へ凸状の軌跡で移動し、前記第２レンズ群は像側へ移動し、前記第３レンズ群は物体側へ移動し、前記第４レンズ群は物体側に凸状の軌跡で移動することを特徴とする請求項１乃至８のいずれか１項に記載のズームレンズ。
【請求項１０】
広角端から望遠端へのズーミングに際し、前記第１レンズ群は像側へ凸状の軌跡で移動し、前記第２レンズ群は物体側へ移動し、前記第３レンズ群は物体側へ移動し、前記第４レンズ群は物体側に凸状の軌跡で移動することを特徴とする請求項１乃至８のいずれか１項に記載のズームレンズ。
【請求項１１】
前記第３レンズ群は物体側から像側へ順に、正レンズ、正レンズと負レンズを接合した接合レンズより構成されることを特徴とする請求項１乃至１０のいずれか１項に記載のズームレンズ。
【請求項１２】
前記第３レンズ群は物体側から像側へ順に、正レンズ、正レンズと負レンズを接合した接合レンズ、正レンズより構成されることを特徴とする請求項１乃至１０のいずれか１項に記載のズームレンズ。
【請求項１３】
前記第２レンズ群は物体側より像側へ順に、負レンズ、負レンズ、正レンズより構成されることを特徴とする請求項１乃至１２のいずれか１項に記載のズームレンズ。
【請求項１４】
前記第２レンズ群は物体側より像側へ順に、負レンズ、負レンズ、負レンズ、正レンズより構成されることを特徴とする請求項１乃至１２のいずれか１項に記載のズームレンズ。
【請求項１５】
前記第４レンズ群は正レンズと負レンズを接合した接合レンズより構成されることを特徴とする請求項１乃至１４のいずれか１項に記載のズームレンズ。
【請求項１６】
前記第１レンズ群は物体側から像側へ順に、負レンズと正レンズを接合した接合レンズ、正レンズより構成されることを特徴とする請求項１乃至１５のいずれか１項に記載のズームレンズ。
【請求項１７】
撮像素子に像を受光することを特徴とする請求項１乃至１６のいずれか１項に記載のズームレンズ。
【請求項１８】
請求項１乃至１７のいずれか１項に記載のズームレンズと、該ズームレンズによって受光される像を受光する撮像素子とを有していることを特徴とする撮像装置。
【発明の詳細な説明】
【技術分野】
【０００１】
本発明はズームレンズおよびこれを用いた撮像装置に関し、例えばビデオカメラ、デジタルカメラ、ＴＶカメラ、監視用カメラ、銀塩写真用カメラなどに好適なものである。
【背景技術】
【０００２】
近年、固体撮像素子を用いた撮像装置においては、撮像装置の高機能化とともに、装置全体の小型化がなされている。それに伴い、これらに用いる撮影光学系として高ズーム比で全ズーム範囲にわたり高い光学性能を有し、しかも全系が小型なズームレンズが強く要求されている。
【０００３】
このような要求に応えるズームレンズとして、物体側より像側へ順に、正、負、正、正の屈折力の第１レンズ群乃至第４レンズ群よりなり、各レンズ群を移動させてズーミングを行った４群ズームレンズが知られている（特許文献１，２）。
【０００４】
特許文献１では第２レンズ群を３つのレンズ、第３レンズ群を３つのレンズより構成したズーム比２１、広角端の撮影画角８０〜８５度程度のズームレンズを開示している。特許文献２では第２レンズ群を３つのレンズ、第３レンズ群を４つのレンズより構成したズーム比１７．８、広角端の撮影画角９０度程度のズームレンズを開示している。
【先行技術文献】
【特許文献】
【０００５】
【特許文献１】特開２００９−０９８４４９号公報
【特許文献２】特開２０１２−０４８０３３号公報
【発明の概要】
【発明が解決しようとする課題】
【０００６】
一般にズームレンズを小型化するためには、ズームレンズを構成する各レンズ群の屈折力を強めつつ、ズーミングに伴う各レンズ群の移動量を少なくし、かつ各レンズ群のレンズ枚数を削減するのが良い。しかしながら、このようにしたズームレンズはズーミングに伴う収差変動が増大し、全ズーム範囲にわたり、また画面全体にわたり高い光学性能を得るのが大変難しくなってくる。
【０００７】
このため、高い光学性能を維持しつつ、高ズーム比化と全系の小型化を図るためには、ズームレンズを構成する各レンズ群の変倍分担と屈折力（光学的パワー＝焦点距離の逆数）そしてレンズ構成等を適切に設定することが重要となる。
【０００８】
例えば前述した４群ズームレンズではズーミングの際に移動する各レンズ群の屈折力やレンズ構成等を適切に設定することが重要となってくる。特に第３レンズ群のレンズ構成や広角端と望遠端における第３レンズ群の結像倍率（横倍率）等を適切に設定することが重要になってくる。これらの構成が不適切であると、高ズーム比を確保しつつ、高い光学性能を有した小型のズームレンズを得るのが困難になってくる。
【０００９】
特許文献１，２では、広角端から望遠端へのズーミングに際して第１レンズ群と、第２レンズ群の間隔を大きく広げることで高ズーム比化を図っている。しかしながら広角端から望遠端へのズーミングに際して第１レンズ群と第２レンズ群の移動量が増大し、望遠端において全系が大型化する傾向があった。
【００１０】
本発明は、高ズーム比でしかも全ズーム範囲にわたり高い光学性能が得られる小型のズームレンズ及びそれを有する撮像装置の提供を目的とする。
【課題を解決するための手段】
【００１１】
本発明のズームレンズは、物体側より像側へ順に、正の屈折力の第１レンズ群、負の屈折力の第２レンズ群、正の屈折力の第３レンズ群、正の屈折力の第４レンズ群より構成され、広角端から望遠端へのズーミングに際し、各レンズ群が移動するズームレンズにおいて、前記第１レンズ群は３枚以下のレンズより構成され、前記第２レンズ群は４枚以下のレンズより構成され、前記第３レンズ群が４枚以下のレンズより構成され、前記第４レンズ群は２枚以下のレンズより構成され、広角端における前記第３レンズ群の横倍率をβ３ｗ、望遠端における前記第３レンズ群の横倍率をβ３ｔ、前記第３レンズ群の焦点距離をｆ３、望遠端における全系の焦点距離をｆｔとするとき、
２．６５＜β３ｔ／β３ｗ＜１０．０
０．０５＜ｆ３／ｆｔ＜０．１４
なる条件式を満足することを特徴としている。
【発明の効果】
【００１２】
本発明によれば、高ズーム比でしかも全ズーム範囲にわたり高い光学性能が得られる小型のズームレンズが得られる。
【図面の簡単な説明】
【００１３】
【図１】本発明の数値実施例１のレンズ断面図
【図２】（Ａ），（Ｂ），（Ｃ）  本発明の数値実施例１の広角端，中間のズーム位置，望遠端における収差図
【図３】本発明の数値実施例２のレンズ断面図
【図４】（Ａ），（Ｂ），（Ｃ）  本発明の数値実施例２の広角端，中間のズーム位置，望遠端における収差図
【図５】本発明の数値実施例３のレンズ断面図
【図６】（Ａ），（Ｂ），（Ｃ）  本発明の数値実施例３の広角端，中間のズーム位置，望遠端における収差図
【図７】本発明の数値実施例４のレンズ断面図
【図８】（Ａ），（Ｂ），（Ｃ）  本発明の数値実施例４の広角端，中間のズーム位置，望遠端における収差図
【図９】本発明の数値実施例５のレンズ断面図
【図１０】（Ａ），（Ｂ），（Ｃ）  本発明の数値実施例５の広角端，中間のズーム位置，望遠端における収差図
【図１１】本発明の数値実施例６のレンズ断面図
【図１２】（Ａ），（Ｂ），（Ｃ）  本発明の数値実施例６の広角端，中間のズーム位置，望遠端における収差図
【図１３】本発明の光学機器の要部概略図
【発明を実施するための形態】
【００１４】
以下に本発明の好ましい実施形態を添付の図面に基いて詳細に説明する。本発明のズームレンズは、物体側より像側へ順に、正の屈折力の第１レンズ群、負の屈折力の第２レンズ群、正の屈折力の第３レンズ群、正の屈折力の第４レンズ群より構成されている。広角端から望遠端へのズーミングに際し、各レンズ群が移動する。第１レンズ群は３以下のレンズより構成され、第２レンズ群は３以下のレンズより構成され、第３レンズ群が４以下のレンズより構成され、第４レンズ群は２以下のレンズより構成されている。
【００１５】
図１は本発明の実施例１のズームレンズの広角端（短焦点距離端）におけるレンズ断面図である。図２（Ａ），（Ｂ），（Ｃ）はそれぞれ実施例１のズームレンズの広角端、中間のズーム位置、望遠端（長焦点距離端）における収差図である。実施例１はズーム比１７．０、開口比３．９２〜７．１０のズームレンズである。
【００１６】
図３は本発明の実施例２のズームレンズの広角端におけるレンズ断面図である。図４（Ａ），（Ｂ），（Ｃ）はそれぞれ実施例２のズームレンズの広角端、中間のズーム位置、望遠端における収差図である。実施例２はズーム比２１．３、開口比３．２３〜７．１０のズームレンズである。
【００１７】
図５は本発明の実施例３のズームレンズの広角端におけるレンズ断面図である。図６（Ａ），（Ｂ），（Ｃ）はそれぞれ実施例３のズームレンズの広角端、中間のズーム位置、望遠端における収差図である。実施例３はズーム比２３．１、開口比３．１３〜７．１０のズームレンズである。
【００１８】
図７は本発明の実施例４のズームレンズの広角端におけるレンズ断面図である。図８（Ａ），（Ｂ），（Ｃ）はそれぞれ実施例４のズームレンズの広角端、中間のズーム位置、望遠端における収差図である。実施例４はズーム比２３．７、開口比３．１１〜７．１０のズームレンズである。
【００１９】
図９は本発明の実施例５のズームレンズの広角端におけるレンズ断面図である。図１０（Ａ），（Ｂ），（Ｃ）はそれぞれ実施例５のズームレンズの広角端、中間のズーム位置、望遠端における収差図である。実施例５はズーム比２２．２、開口比３．４０〜７．１０のズームレンズである。
【００２０】
図１１は本発明の実施例６のズームレンズの広角端におけるレンズ断面図である。図１２（Ａ），（Ｂ），（Ｃ）はそれぞれ実施例６のズームレンズの広角端、中間のズーム位置、望遠端における収差図である。実施例６はズーム比１８．７、開口比３．５３〜７．１０のズームレンズである。
【００２１】
図１３は本発明のズームレンズを備えるカメラ（撮像装置）の要部概略図である、各実施例のズームレンズはビデオカメラやデジタルカメラそして銀塩フィルムカメラ等の撮像装置に用いられる撮影レンズ系である。レンズ断面図において、左方が被写体側（物体側）（前方）で、右方が像側（後方）である。レンズ断面図において、ｉは物体側からのレンズ群の順番を示し、Ｌｉは第ｉレンズ群である。
【００２２】
レンズ断面図において、Ｌ１は正の屈折力の第１レンズ群、Ｌ２は負の屈折力の第２レンズ群、Ｌ３は正の屈折力の第３レンズ群、Ｌ４は負の屈折力の第４レンズ群である。各実施例のズームレンズは４群ズームレンズである。レンズ断面図において、ＳＰは開放Ｆナンバー（Ｆｎｏ）光束を決定（制限）する開口絞りの作用をするＦナンバー決定部材（以下「開口絞り」と呼ぶ）である。開口絞りＳＰは、光軸方向において第３レンズ群Ｌ３の最も物体側のレンズ３１の物体側頂点からレンズ３１の物体側の面と外周部（コバ部）との交点までの間に配置されている。
【００２３】
Ｇは光学フィルタ、フェースプレート、水晶ローパスフィルタ、赤外カットフィルタ等に相当する光学ブロックである。ＩＰは像面であり、ビデオカメラやデジタルスチルカメラの撮影光学系として使用する際にはＣＣＤセンサやＣＭＯＳセンサ等の固体撮像素子（光電変換素子）の撮像面が置かれる。又、銀塩フィルム用カメラの撮影光学系として使用する際にはフィルム面に相当する感光面が置かれている。
【００２４】
矢印は広角端から望遠端へのズーミングに際しての各レンズ群の移動軌跡を示している。球面収差図において、実線のｄ−lineはｄ線、二点鎖線のｇ−lineはｇ線である。非点収差図において点線のΔＭはメリディオナル像面、実線のΔＳはサジタル像面である。倍率色収差はｇ線によって表している。ωは半画角（度）（撮影画角の半分の値）、ＦｎｏはＦナンバーである。尚、以下の各実施例において広角端と望遠端は変倍用レンズ群が機構上光軸上を移動可能な範囲の両端に位置したときのズーム位置をいう。
【００２５】
各実施例では、広角端から望遠端へのズーミングに際して第１、第２、第３、第４レンズ群Ｌ１、Ｌ２、Ｌ３、Ｌ４は矢印のように移動している。具体的には、広角端から望遠端へのズーミングに際して第１レンズ群Ｌ１は像側へ凸状の軌跡を描いて（非直線的に）移動する。第２レンズ群Ｌ２は像側へ、又は物体側へ移動する。第３レンズ群Ｌ３は物体側へ移動する。第４レンズ群Ｌ４は物体側へ凸状の軌跡を描いて移動する。フォーカシングは第１レンズ群Ｌ１又は第４レンズ群Ｌ４で行っている。
【００２６】
各実施例において、第１レンズ群Ｌ１が３枚以下のレンズを有し、第２レンズ群Ｌ２が４枚以下のレンズを有し、第３レンズ群Ｌ３が４枚以下のレンズを有し、第４レンズ群Ｌ４が２枚以下のレンズを有して構成されている。そして広角端における第３レンズ群Ｌ３の横倍率をβ３ｗ、望遠端における第３レンズ群Ｌ３の横倍率をβ３ｔ、第３レンズ群Ｌ３の焦点距離をｆ３、望遠端における全系の焦点距離をｆｔとする。このとき、
２．６５＜β３ｔ／β３ｗ＜１０．００  ・・・（１）
０．０５＜ｆ３／ｆｔ＜０．１４        ・・・（２）
なる条件式を満足する。
【００２７】
本発明のズームレンズでは、第３レンズ群Ｌ３の変倍比を高めることで、第１レンズ群Ｌ１と第２レンズ群Ｌ２の間隔を広げることで負担していた変倍分担を軽減し、ズーミングに際して第１レンズ群Ｌ１と第２レンズ群Ｌ２の移動量を短縮している。また、第３レンズ群Ｌ３の焦点距離（屈折力の逆数）を適切に設定することで、第３レンズ群Ｌ３のズーミングに際しての変倍比を高めた際の移動量を軽減し、望遠端におけるレンズ全長の小型化を図っている。
【００２８】
条件式（１）は、ズーミングに際しての第３レンズ群Ｌ３の変倍比（横倍率の比）を規定する。条件式（１）の上限を超えて、第３レンズ群Ｌ３の変倍比が大きくなり過ぎると、第３レンズ群Ｌ３より非点収差が多く発生し、ズーミングに際して非点収差の変動が増大し、ズーム全域で良好な光学性能を得るのが難しくなる。下限を超えて、第３レンズ群Ｌ３の変倍比が小さくなり過ぎると、高ズーム比化を図る際の第１レンズ群Ｌ１と第２レンズ群Ｌ２の変倍分担が大きくなる。このため、同じズーム比を維持しようとすると、望遠端におけるレンズ全長が長くなってくるので良くない。
【００２９】
条件式（２）は、第３レンズ群Ｌ３の焦点距離を規定する。条件式（３）の上限を超えると、第３レンズ群Ｌ３の変倍比を高める際に、第３レンズ群Ｌ３の移動量が大きくなり過ぎてくる。このときの第３レンズ群Ｌ３の移動スペースを確保しようとすると、レンズ全長が長くなってくる。下限を超えて、第３レンズ群Ｌ３の屈折力が強くなると、広角端において球面収差がアンダー方向に多く発生してくる。
【００３０】
上記の構成と、条件式（１）、（２）を満たすことによって高ズーム比化を図りつつ、望遠端におけるレンズ全長を短くし、かつズーム全域で高い解像力を得ている。なお更に好ましくは、条件式（１），（２）の数値範囲を以下の如く設定することが好ましい。
【００３１】
２．７＜β３ｔ／β３ｗ＜８．０          ・・・（１ａ）
０．０５０＜ｆ３／ｆｔ＜０．１３５      ・・・（２ａ）
更に好ましくは、条件式（１ａ），（２ａ）の数値範囲を以下の如く設定することが好ましい。
【００３２】
２．７５＜β３ｔ／β３ｗ＜６．００      ・・・（１ｂ）
０．０６０＜ｆ３／ｆｔ＜０．１３５      ・・・（２ｂ）
以上のように各実施例によれば、４群構成のズームレンズにおいて、高ズーム比でありながらも、望遠端におけるレンズ全長が短く、高い解像力を有するズームレンズが得られる。
【００３３】
本発明のズームレンズにおいて、更に好ましくは次の条件式のうち１以上を満足するのが良い。第３レンズ群Ｌ３は、負レンズを有し、負レンズの焦点距離（負レンズが他のレンズと接合されているときは分離し空気中に配置したときの焦点距離）をｆ３ｎとする。第３レンズ群Ｌ３は、負レンズを有し、負レンズの材料の屈折率をＮ３ｎとする。第３レンズ群Ｌ３は、２枚以上の正レンズを有し、２枚以上の正レンズの焦点距離の平均をｆ３ｐａｖｅとする。第３レンズ群Ｌ３は、２枚以上の正レンズを有し、２枚以上の正レンズの材料の屈折率の平均値をＮ３ｐａｖｅとする。
【００３４】
第１レンズ群Ｌ１の焦点距離をｆ１とする。第２レンズ群Ｌ２の焦点距離をｆ２、第４レンズ群Ｌ４の焦点距離をｆ４、広角端における全系の焦点距離をｆｗとする。このとき、次の条件式のうち１以上を満足するのが良い。
【００３５】
０．２０＜｜ｆ３ｎ｜／ｆ３＜０．５５    ・・・（３）
１．８５０＜Ｎ３ｎ＜２．５００          ・・・（４）
０．５０＜ｆ３ｐａｖｅ／ｆ３＜１．５５  ・・・（５）
１．６９０＜Ｎ３ｐａｖｅ＜２．５００    ・・・（６）
０．３０＜ｆ１／ｆｔ＜０．５０          ・・・（７）
０．５０＜｜ｆ２｜／ｆｗ＜１．３５      ・・・（８）
３．０＜ｆ４／ｆｗ＜５．０              ・・・（９）
次に前述の各条件式の技術的意味について説明する。
【００３６】
条件式（３）の上限を超えて、第３レンズ群Ｌ３の負レンズの屈折力が弱くなり過ぎると（負の屈折力の絶対値が小さくなると）、ズーム全域において像面彎曲が負の方向に増大してくる。下限を超えて、第３レンズ群Ｌ３の負レンズの屈折力が強くなり過ぎると、（負の屈折力の絶対値が大きくなると）第３レンズ群Ｌ３の正の屈折力が低下し、ズーミングに際して第３レンズ群Ｌ３の移動量が増大し、望遠端におけるレンズ全長が長くなってくる。
【００３７】
条件式（４）の上限を超えて負レンズの材料の屈折率が大きくなると、ペッツバール和が正方向に増加し、このときのペッツバール和をキャンセルする量が不足してしまい、ズーム全域で像面湾曲がアンダー方向に増大してくる。また下限を超えて負レンズの屈折率が小さくなると、負レンズのレンズ面の曲率がきつくなり過ぎてしまい、ズーム全域でコマ収差が増大し、コマ収差の補正が困難となる。
【００３８】
条件式（５）の上限を超えると、第３レンズ群Ｌ３に含まれる正レンズの屈折力が弱くなり過ぎてしまい、ズーミングに際して第３レンズ群Ｌ３の移動量が大きくなり、望遠端においてレンズ全長が長くなってくるので良くない。また下限を超えると、第３レンズ群Ｌ３に含まれる正レンズの屈折力が強まり過ぎてしまい、広角端においてアンダー方向に球面収差が増大し、この球面収差の補正が困難となる。
【００３９】
条件式（６）の上限を超えると、ペッツバール和が負の方向に増加し、このときのペッツバール和をキャンセルする量が不足してしまい、ズーム全域で像面湾曲がアンダー方向に増大し、この像面彎曲の補正が困難になる。下限を超えると、各正レンズのレンズ面の曲率がきつくなり、ズーム全域で球面収差がアンダー方向に増大し、この球面収差の補正が困難となる。
【００４０】
条件式（７）の上限を超えて、第１レンズ群Ｌ１の屈折力が弱まり過ぎると、高ズーム比化を図る際に第１レンズ群Ｌ１の移動量が大きくなる。この結果、望遠端におけるレンズ全長が増大してくる。また下限を超えて、第１レンズ群Ｌ１の屈折力が強まり過ぎると、望遠端において球面収差と像面湾曲がアンダー方向に増大し、球面収差と像面彎曲の補正が困難となる。
【００４１】
条件式（８）の上限を超えて、第２レンズ群Ｌ２の負の屈折力が弱まり過ぎると（負の屈折力の絶対値が小さくなると）高ズーム比化を図る際の第２レンズ群Ｌ２の移動量が大きくなり過ぎてくる。その結果、望遠端におけるレンズ全長が増大してくる。また下限を超えて、第２レンズ群Ｌ２の負の屈折力が強まり過ぎると（負の屈折力の絶対値が大きくなると）、広角端においてｇ線の倍率色収差がアンダー方向に増大し、このｇ線の倍率色収差の補正が困難となる。
【００４２】
条件式（９）の上限を超えて、第４レンズ群Ｌ４の正の屈折力が弱まり過ぎると、バックフォーカスが長くなり、レンズ全長が増大してくる。また下限を超えて、第４レンズ群Ｌ４の屈折力が強まり過ぎると、撮像面に入射する光線の入射角がズーミングによって大きく変動してしまうため、色シェーディングが増大してくる。更に好ましくは、条件式（３）乃至条件式（９）の数値範囲を以下の範囲に設定することが好ましい。
【００４３】
０．３５＜｜ｆ３ｎ｜／ｆ３＜０．５５        ・・・（３ａ）
１．９５０＜Ｎ３ｎ＜２．３００              ・・・（４ａ）
０．６００＜ｆ３ｐａｖｅ／ｆ３＜１．５４０  ・・・（５ａ）
１．６９５＜Ｎ３ｐａｖｅ＜２．３００        ・・・（６ａ）
０．３５＜ｆ１／ｆｔ＜０．４５              ・・・（７ａ）
０．６＜｜ｆ２｜／ｆｗ＜１．３              ・・・（８ａ）
３．５＜ｆ４／ｆｗ＜４．５                  ・・・（９ａ）
【００４４】
以上のように各実施例によれば、レンズ構成枚数を少なくしつつ、各レンズ群の変倍比と屈折力を適切に設定することで、高ズーム比化を実現しながらも、望遠端におけるレンズ全長を短縮し、高い解像性能を有するズームレンズが得られる。
【００４５】
本発明のズームレンズを撮像素子を有する撮像装置に用いたときには、歪曲収差と倍率色収差を含んだ電気信号を画像処理によって補正するシステムと合わせて使用するのが良く、これによれば全ズーム領域でさらに高い性能を得るのが容易になる。
【００４６】
次に、本発明のズームレンズの各実施例について述べる。本発明の各実施例のズームレンズは、広角端から望遠端へズーミングに際して、各レンズ群が移動している。
【００４７】
具体的には、広角端から望遠端へのズーミングに際して、第１レンズ群Ｌ１は像側へ凸状の軌跡を描くように移動し、望遠端で広角端に比べて物体側に位置する。第２レンズ群Ｌ２は実施例１，２では像側へ移動し、実施例３乃至６では物体側へ移動する。第３レンズ群Ｌ３は、物体側へ移動する。第４レンズ群Ｌ４は物体側に凸状の軌跡を描くように移動する。このとき第４レンズ群Ｌ４は実施例１，３乃至６では広角端に比べて望遠端で物体側に位置する。実施例２では広角端に比べて望遠端で像側に位置する。
【００４８】
このとき、広角端に比べて望遠端において第１レンズ群Ｌ１と第２レンズ群Ｌ２の間隔、第３レンズ群Ｌ３と第４レンズ群Ｌ４の間隔が大きくなるように移動している。また第２レンズ群Ｌ２と第３レンズ群Ｌ３の間隔が小さくなるように移動している。
【００４９】
各実施例のズームレンズでは、第２レンズ群Ｌ２と第３レンズ群Ｌ３の間にＦナンバー決定部材（開口絞り）ＳＰを設けている。各実施例においてＦナンバー決定部材ＳＰは、変倍時第３レンズ群Ｌ３と一体（同じ軌跡）で移動する。このような構成とすることで、広角端およびその近傍のズーム位置における中間像高からの画面周辺での光量の急峻な落ちを改善している。尚、Ｆナンバー決定部材ＳＰはズーミングに際して、第３レンズ群Ｌ３と独立に（異なった軌跡で）移動してもよい。
【００５０】
ズーミングに際しての変倍作用は、主に第１レンズ群Ｌ１から第３レンズ群Ｌ３の移動で実現している。変倍に伴うピント変動は主に第４レンズ群Ｌ４の移動で補正している。フォーカシングは第４レンズ群Ｌ４もしくは第１レンズ群Ｌ１を光軸方向に移動させて行っている。
【００５１】
各実施例のズームレンズでは各レンズ群の焦点距離（＝屈折力の逆数）と変倍分担をバランス良く実現するために最大構成レンズ枚数を、第１レンズ群Ｌ１が３枚以下、第２レンズ群Ｌ２が４枚以下としている。また第３レンズ群Ｌ３が４枚以下、第４レンズ群が２枚以下としている。これにより高ズーム比化を実現しつつ、望遠端におけるレンズ全長の小型化を図っている。
【００５２】
以下、各実施例のレンズ群の構成について説明する。第１レンズ群Ｌ１は、物体側より像側へ順に、負レンズ１１と正レンズ１２を接合した接合レンズ１４、物体側に凸面を向けたメニスカス形状の正レンズ１３で構成している。このように構成することで、第１レンズ群Ｌ１の正の屈折力を接合レンズ１４と正レンズ１３とで分担し、第１レンズ群Ｌ１で発生する諸収差、特に望遠側における球面収差の発生を低減している。
【００５３】
実施例１から５において、第２レンズ群Ｌ２は物体側より像側へ順に、屈折力の絶対値が物体側に比べ像側に強い凹面を像側に向けた負レンズ２１、両凹形状の負レンズ２２、物体側に凸面を向けた正レンズ２３で構成している。このように構成することで、第２レンズ群Ｌ２の負の屈折力を２つの負レンズで分担し、第２レンズ群Ｌ２で発生する諸収差、特に、広角側における像面湾曲、望遠側における球面収差を良好に補正している。
【００５４】
実施例６において、第２レンズ群Ｌ２は物体側より像側へ順に、負レンズ２１、負レンズ２２、負レンズ２３、正レンズ２４から構成される。このように構成することで、第２レンズ群Ｌ２の負の屈折力を３つの負レンズで分担し、第２レンズ群Ｌ２で発生する諸収差、特に、広角側における像面湾曲、望遠側における球面収差を良好に補正している。  実施例１，２，６において第３レンズ群Ｌ３は、物体側より像側へ順に、物体側に凸面を向けた正レンズ３１、物体側に凸面を向けた正レンズ３２と像側に凹面を向けた負レンズ３３を接合した接合レンズ３４で構成している。
【００５５】
また、実施例３乃至５において第３レンズ群Ｌ３は、物体側より像側へ順に、物体側に凸面を向けた正レンズ３１、物体側に凸面を向けた正レンズ３２と像側に凹面を向けた負レンズ３３を接合した接合レンズ３４、正レンズ３５より構成している。実施例３乃至５では実施例１，２に比べて接合レンズ３４の像側に、正レンズ３５を配置して構成している。
【００５６】
このように構成することで、第３レンズ群Ｌ３の正の屈折力を２つの正レンズで分担し、第３レンズ群Ｌ３で発生する諸収差、特にズーム全域に渡り球面収差、コマ収差、軸上色収差等を良好に補正している。第４レンズ群Ｌ４は物体側より像側へ順に正レンズ４１と負レンズ４２を接合した接合レンズ４３で構成している。接合レンズ４３で構成することで、第４レンズ群Ｌ４の屈折力を強めた場合でもズーム全域にて倍率色収差を良好に補正するのを容易にしている。
【００５７】
なお各実施例では像ぶれ補正に際して任意のレンズ群を光軸に対して垂直な方向の成分を持つように移動させても良い。これによれば像ぶれ補正を良好に行うことができる。
【００５８】
次に本発明のズームレンズを撮影光学系として用いたデジタルカメラ（撮像装置）の実施形態について、図１３を用いて説明する。
【００５９】
図１３において、５０はデジタルカメラ本体、５１は上述の実施例のズームレンズによって構成された撮影光学系、５２は撮影光学系５１によって被写体像を受光するＣＣＤ等の撮像素子である。５３は撮像素子５２が受光した被写体像を記録する記録手段、５４は不図示の表示素子に表示された被写体像を観察するための液晶表示パネルである。このように本発明のズームレンズをデジタルカメラやビデオカメラ等の撮像装置に適用することにより、小型で高い光学性能を有する撮像装置を実現している。本発明のズームレンズはミラーレスの一眼レフカメラにも同様に適用することができる。
【００６０】
次に本発明の実施例１乃至６に各々対応する数値実施例１乃至６を示す。各数値実施例においてｉは物体側からの光学面の順序を示す。ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率とアッベ数を示す。
【００６１】
数値実施例１乃至５におけるｄ１２の値及び数値実施例６におけるｄ１４の値がマイナスとなっているがこれは物体側から像側へ順に開口絞りＳＰ、第３レンズ群Ｌ３と数えたためである。またｋを離心率Ａ４、Ａ６、Ａ８、Ａ１０を非球面係数、光軸からの高さｈの位置での光軸方向の変位を面頂点を基準にしてｘとするとき、非球面形状は、
ｘ＝（ｈ2／Ｒ）／［１＋［１−（１＋ｋ）（ｈ／Ｒ）2］1/2］＋Ａ４ｈ4＋Ａ６ｈ6＋Ａ８ｈ8＋Ａ１０ｈ10
で表示される。
【００６２】
但しＲは近軸曲率半径である。また例えば「Ｅ−Ｚ」の表示は「１０-Z」を意味する。数値実施例において最後の２つの面は、フィルター、フェースプレート等の光学ブロックの面である。各実施例において、バックフォーカス（ＢＦ）はレンズ最終面から近軸像面までの距離を空気換算長により表したものである。レンズ全長は最も物体側のレンズ面から最終レンズ面までの距離にバックフォーカスを加えたものである。また、各数値実施例における上述した条件式との対応を表１に示す。  
【００６３】
［数値実施例１］
単位 mm
面データ
面番号       r        d      nd         νd
1         38.571    0.82   2.00100    29.1           
2         21.791    3.50   1.49700    81.5           
3        409.083    0.05                             
4         22.576    2.90   1.71300    53.9           
5        153.948  (可変)                             
6*       269.023    0.40   1.85135    40.1           
7*         6.049    2.80                             
8        -16.326    0.30   1.83481    42.7           
9         16.326    0.17                             
10         11.471    1.40   1.95906    17.5           
11        126.251  (可変)                             
12(絞り)    ∞      -0.20                             
13*         7.247    1.60   1.80610    40.7           
14*       -18.505    0.05                             
15          5.027    1.40   1.59282    68.6           
16         32.322    0.30   2.00069    25.5           
17          3.749  (可変)                             
18         11.933    2.35   1.63854    55.4           
19        -46.451    0.40   1.92286    18.9           
20       -125.623  (可変)                             
21          ∞       0.80   1.51633    64.1           
22          ∞       0.94                             
像面        ∞   
【００６４】
非球面データ
第6面
K =-4.98796e+003  A 4=-3.44592e-005  A 6= 8.97220e-006 
A 8=-1.74458e-007  A10= 8.04728e-010  
第7面
K = 3.33333e-001  A 4=-2.50036e-004  A 6= 3.67516e-005 
A 8=-1.84990e-006  A10= 8.76148e-008  
第13面
K = 1.20904e+000  A 4=-1.42435e-003  A 6=-2.45519e-005 
A 8=-6.59501e-006  A10=-9.74137e-007  
第14面
K = 2.48242e+001  A 4=-2.09231e-004  A 6= 3.82963e-005 
A 8=-1.48471e-005  
各種データ
ズーム比     17.04 
広角     中間     望遠
焦点距離       4.63    20.58    78.97  
Fナンバー      3.92     5.39     7.10  
半画角（度）  35.40    10.66     2.75  
ＢＦ           3.48    11.36     4.04
像高           3.29     3.88     3.80  
レンズ全長    46.14    54.66    65.68  
d 5            0.47    13.16    22.04  
d11           16.24     4.22     0.50  
d17            7.71     7.69    20.86  
d20            2.01     9.89     2.57  
ズームレンズ群データ
群  始面    焦点距離  
1    1      34.96  
2    6      -5.88  
3   12      10.38  
4   18      18.33  
【００６５】
［数値実施例２］
単位 mm
面データ
面番号       r        d      nd         νd
1         40.461    0.82   1.85478    24.8           
2         22.944    3.60   1.49700    81.5           
3        254.593    0.05                             
4         23.445    2.90   1.77250    49.6           
5         90.522  (可変)                             
6*       419.262    0.40   1.85135    40.1           
7*         5.820    2.90                             
8        -17.299    0.30   1.80400    46.6           
9         17.299    0.17                             
10         11.783    1.40   1.95906    17.5           
11         84.857  (可変)                             
12(絞り)    ∞      -0.20                             
13*         6.536    1.60   1.76802    49.2           
14*       -29.454    0.05                             
15          6.013    1.40   1.71300    53.9           
16         15.587    0.30   2.00069    25.5           
17          4.008  (可変)                             
18         11.730    2.35   1.63854    55.4           
19        -13.615    0.40   1.85026    32.3           
20        -76.480  (可変)                             
21          ∞       0.50   1.51633    64.1           
22          ∞       0.24                             
像面        ∞   
【００６６】
非球面データ
第6面
K = 5.34263e+003  A 4=-2.06480e-005  A 6= 5.25368e-007 
A 8= 6.34498e-008  A10=-2.15677e-009  
第7面
K = 4.17379e-002  A 4=-2.64028e-005  A 6= 1.12311e-005 
A 8= 1.28046e-007  A10= 6.42672e-009  
第13面
K =-4.17957e-001  A 4=-2.59838e-004  A 6= 2.92481e-005 
A 8=-4.08923e-007  A10= 1.14646e-008  
第14面
K =-2.80658e+000  A 4= 1.00177e-004  A 6= 4.37570e-005 
A 8=-1.42559e-006  
各種データ
ズーム比     21.30 
広角     中間     望遠
焦点距離       4.60    18.41    98.00  
Fナンバー      3.23     4.03     7.10  
半画角（度）  35.61    11.89     2.22  
ＢＦ          2.62     10.36     1.07
像高           3.29     3.88     3.80  
レンズ全長    47.58    53.38    68.71  
d 5            0.93    13.67    22.36  
d11           16.88     5.02     0.43  
d17            8.71     5.88    26.42  
d20            2.05     9.79     0.50  
ズームレンズ群データ
群  始面    焦点距離  
1    1      35.56  
2    6      -5.76  
3   12      10.30  
4   18      19.90  
【００６７】
［数値実施例３］
単位 mm
面データ
面番号       r        d      nd         νd
1         55.002    0.82   1.85478    24.8           
2         29.876    3.60   1.49700    81.5           
3       -334.698    0.05                             
4         26.982    2.90   1.71300    53.9           
5        106.737  (可変)                             
6*     -1094.207    0.40   1.85135    40.1           
7*         6.594    2.40                             
8        -13.000    0.30   1.77250    49.6           
9         13.000    0.17                             
10         10.759    1.40   1.95906    17.5           
11         85.092  (可変)                             
12(絞り)    ∞      -0.20                             
13*         6.278    1.60   1.69350    53.2           
14*       -44.532    0.05                             
15          5.782    1.40   1.60311    60.6           
16         30.003    0.30   2.00100    29.1           
17          4.300    0.50                             
18         24.279    1.00   1.88300    40.8           
19      -1641.733  (可変)                             
20         14.915    2.80   1.77250    49.6           
21        -23.489    0.40   1.92286    18.9           
22        -74.700  (可変)                             
23          ∞       0.80   1.51633    64.1           
24          ∞       0.90                            
像面        ∞   
【００６８】
非球面データ
第6面
K =-1.39705e+004  A 4=-4.95556e-005  A 6=-2.50476e-006 
A 8= 2.02767e-007  A10=-3.64046e-009  
第7面
K = 1.26654e-001  A 4=-3.53172e-005  A 6= 1.92356e-005 
A 8=-1.37625e-006  A10= 6.70369e-008  
第13面
K =-3.51671e-001  A 4=-2.41334e-004  A 6= 5.98944e-006 
A 8=-1.19893e-006  A10= 1.99390e-008  
第14面
K = 4.98579e+000  A 4= 4.10472e-005  A 6= 1.69715e-006 
A 8=-6.96534e-007  
各種データ
ズーム比     23.13 
広角     中間     望遠
焦点距離       4.63    20.90   107.00  
Fナンバー      3.13     4.24     7.10  
半画角（度）  33.65    10.51     2.03  
ＢＦ          4.30     13.12     6.26
像高           3.08     3.88     3.80  
レンズ全長    46.77    60.16    87.13  
d 5            0.89    16.12    26.60  
d11           14.64     3.69     0.48  
d19            7.04     7.35    33.89  
d22            2.87    11.69     4.83  
ズームレンズ群データ
群  始面    焦点距離  
1    1      40.17  
2    6      -5.54  
3   12      10.56  
4   20      17.50  
【００６９】
［数値実施例４］
単位 mm
面データ
面番号       r        d      nd         νd
1         54.692    0.82   1.85478    24.8           
2         29.862    3.60   1.49700    81.5           
3       -318.141    0.05                             
4         26.991    2.90   1.71300    53.9           
5        105.366  (可変)                             
6*      -590.002    0.40   1.85135    40.1           
7*         6.604    2.40                             
8        -13.000    0.30   1.77250    49.6           
9         13.000    0.17                             
10         10.740    1.40   1.95906    17.5           
11         79.954  (可変)                             
12(絞り)    ∞      -0.20                             
13*         6.255    1.60   1.69350    53.2           
14*       -43.194    0.05                             
15          5.805    1.40   1.60311    60.6           
16         28.065    0.30   2.00100    29.1           
17          4.300    0.50                             
18         24.758    1.00   1.88300    40.8           
19       1095.879  (可変)                             
20         14.970    2.80   1.77250    49.6           
21        -23.727    0.40   1.92286    18.9           
22        -73.845  (可変)                             
23          ∞       0.80   1.51633    64.1           
24          ∞       0.91                             
像面        ∞   
【００７０】
非球面データ
第6面
K = 5.57886e+003  A 4=-8.88296e-005  A 6=-1.90185e-006 
A 8= 2.67477e-007  A10=-5.05020e-009  
第7面
K = 8.84203e-002  A 4=-7.78893e-005  A 6= 2.12481e-005 
A 8=-1.56802e-006  A10= 8.39696e-008  
第13面
K =-3.20690e-001  A 4=-2.28541e-004  A 6= 1.05204e-005 
A 8=-6.69298e-007  A10= 5.79791e-008  
第14面
K =-1.43667e+001  A 4= 7.08432e-005  A 6= 6.75386e-006 
A 8= 3.44794e-007  
各種データ
ズーム比     23.73 
広角     中間     望遠
焦点距離       4.63    21.13   110.00  
Fナンバー      3.11     4.21     7.10  
半画角（度）  33.60    10.39     1.98  
ＢＦ          4.22     13.27     6.35 
像高           3.08     3.88     3.80  
レンズ全長    47.03    60.55    87.99  
d 5            0.94    16.20    26.62  
d11           14.75     3.73     0.48  
d19            7.22     7.46    34.65  
d22            2.78    11.83     4.91  
ズームレンズ群データ
群  始面    焦点距離  
1    1      40.07  
2    6      -5.50  
3   12      10.56  
4   20      17.50  
【００７１】
［数値実施例５］
単位 mm
面データ
面番号       r        d      nd         νd
1         54.206    0.82   1.85478    24.8           
2         29.470    3.60   1.49700    81.5           
3       -645.372    0.05                             
4         27.731    2.90   1.71300    53.9           
5        128.042  (可変)                             
6*      -391.885    0.40   1.85135    40.1           
7*         6.672    2.08                             
8        -13.000    0.30   1.77250    49.6           
9         13.000    0.17                             
10         10.234    1.40   1.95906    17.5           
11         63.213  (可変)                             
12(絞り)    ∞      -0.20                             
13*         5.750    1.60   1.69350    53.2           
14*       -44.565    0.05                             
15          6.656    1.40   1.60311    60.6           
16        158.946    0.30   2.00100    29.1           
17          4.300    0.50                             
18         11.565    1.00   1.91082    35.3           
19         40.961  (可変)                             
20         13.827    2.80   1.77250    49.6           
21        -32.346    0.40   1.92286    18.9           
22       -211.750  (可変)                             
23          ∞       0.80   1.51633    64.1           
24          ∞       0.90                            
像面        ∞   
【００７２】
非球面データ
第6面
K = 3.14733e+003  A 4=-3.99973e-005  A 6=-1.03888e-007 
A 8= 1.75141e-007  A10=-4.16277e-009  
第7面
K = 7.21190e-001  A 4=-1.57580e-004  A 6= 6.67071e-006 
A 8=-4.34025e-007  A10= 3.41279e-008  
第13面
K =-3.56960e-001  A 4=-2.76368e-004  A 6= 5.94185e-006 
A 8=-5.23976e-007  A10=-3.97152e-008  
第14面
K = 4.38280e+001  A 4= 4.41443e-005  A 6= 1.38683e-005 
A 8=-1.28696e-006  
各種データ
ズーム比     22.20 
広角     中間     望遠
焦点距離       4.50    19.70   100.00  
Fナンバー      3.40     4.62     7.10  
半画角（度）  34.36    11.13     2.18  
ＢＦ          3.56     12.03     4.28
像高           3.08     3.88     3.80  
レンズ全長    45.54    57.28    77.76  
d 5            0.73    15.85    27.33  
d11           14.72     3.86     0.47  
d19            6.95     5.96    26.10  
d22            2.13    10.60     2.85  
ズームレンズ群データ
群  始面    焦点距離  
1    1      40.70  
2    6      -5.61  
3   12      10.10  
4   20      18.00  
【００７３】
［数値実施例６］
単位 mm
面データ
面番号       r        d      nd         νd
1         47.703    0.82   1.85478    24.8           
2         24.829    3.60   1.49700    81.5           
3       3256.582    0.05                             
4         24.063    2.90   1.77250    49.6           
5        100.673  (可変)                             
6*       399.368    0.40   1.85135    40.1           
7*         6.096    2.90                             
8        -16.292    0.30   1.80400    46.6           
9          ∞       0.20                             
10         17.024    0.30   1.80400    46.6           
11          8.821    0.17                             
12          8.485    1.40   1.95906    17.5           
13         21.596  (可変)                             
14(絞り)    ∞      -0.20                             
15*         6.582    1.60   1.76802    49.2           
16*       -28.693    0.05                             
17          6.200    1.40   1.71300    53.9           
18         18.070    0.30   2.00069    25.5           
19          4.133  (可変)                             
20         12.479    2.60   1.63854    55.4           
21        -11.039    0.40   1.85026    32.3           
22        -55.083  (可変)                             
23          ∞       0.80   1.51633    64.1           
24          ∞     0.78                             
像面        ∞   
【００７４】
非球面データ
第6面
K = 4.74145e+003  A 4=-4.72041e-005  A 6= 5.42535e-006  A 8=-6.94159e-008  A10=-9.97289e-010  
第7面
K = 2.29998e-001  A 4=-1.12692e-004  A 6=-4.94748e-007  A 8= 1.37221e-006  A10=-2.97801e-008  
第15面
K =-3.45690e-001  A 4=-2.01393e-004  A 6= 1.58506e-005  A 8=-1.92140e-007  A10= 8.47030e-008  
第16面
K =-1.51399e+001  A 4= 1.44040e-004  A 6= 3.12039e-005  A 8=-2.25001e-006  A10= 2.17456e-007  
各種データ
ズーム比     18.68 
広角     中間     望遠
焦点距離       4.70    51.01    87.77  
Fナンバー      3.53     4.73     7.10  
半画角（度）  35.03     4.34     2.48  
像高           3.29     3.88     3.80  
レンズ全長    48.64    61.91    69.77  
BF            2.65     8.40     2.91  
d 5            0.93    21.74    22.36  
d13           16.88     1.43     0.43  
d19            8.71    10.88    24.61  
d22            1.35     7.10     1.61  
ズームレンズ群データ
群  始面    焦点距離  
1    1      35.80  
2    6      -5.86  
3   14      10.42  
4   20      21.00  
【００７５】
【表１】
2015121736.tif 000003
【符号の説明】
【００７６】
Ｌ１  第１レンズ群      Ｌ２  第２レンズ群      Ｌ３  第３レンズ群
Ｌ４  第４レンズ群
【図１】
2015121736.tif 000004
【図２】
2015121736.tif 000005
【図３】
2015121736.tif 000006
【図４】
2015121736.tif 000007
【図５】
2015121736.tif 000008
【図６】
2015121736.tif 000009
【図７】
2015121736.tif 000010
【図８】
2015121736.tif 000011
【図９】
2015121736.tif 000012
【図１０】
2015121736.tif 000013
【図１１】
2015121736.tif 000014
【図１２】
2015121736.tif 000015
【図１３】
2015121736.tif 000016